(57)【特許請求の範囲】
【請求項１】
交換自在の光源を点灯させる点灯部と、
現在取り付けられている光源を前記点灯部が点灯させた時間の累計である光源累積点灯時間を計測する計時部と、
光源の状態を検出する検出部と、
カウンタの値と、当該カウンタの値と調光度との対応関係を定義する第１設定と、当該カウンタの値を補正するための補正値と、当該補正値と光源の交換によらず前記点灯部が光源を点灯させた時間の累計である総累積点灯時間との対応関係を定義する第２設定とを記憶する記憶部と、
前記計時部が計測した光源累積点灯時間が所定時間経過すると、前記記憶部に記憶されているカウンタの値をインクリメントし、前記記憶部に記憶されている第１設定を用いて、インクリメントしたカウンタの値に対応する調光度を算出し、算出した調光度にて光源を調光するよう前記点灯部に命令する調光制御部であって、前記検出部が検出した光源の状態に基づいて、光源が交換されたか否かを判断し、光源が交換されたと判断すると、前記記憶部に記憶されている第２設定を用いて、総累積点灯時間に対応する補正値を算出し、算出した補正値で前記記憶部に記憶されている補正値を更新し、更新した補正値で前記記憶部に記憶されているカウンタの値を更新する調光制御部と
を備えることを特徴とする点灯装置。
【請求項２】
前記調光制御部は、光源が交換されたと判断すると、前記記憶部に記憶されている第２設定を用いて、前記記憶部に記憶されている補正値に対応する総累積点灯時間を算出し、算出した総累積点灯時間と前記計時部が交換前の光源について計測した光源累積点灯時間とを加算して新たな総累積点灯時間とし、前記記憶部に記憶されている第２設定を用いて、当該新たな総累積点灯時間に対応する補正値を算出し、算出した補正値で前記記憶部に記憶されている補正値を更新することを特徴とする請求項１に記載の点灯装置。
【請求項３】
交換自在の光源を点灯させる点灯部と、
現在取り付けられている光源を前記点灯部が点灯させた時間の累計である光源累積点灯時間を計測する計時部と、
光源の状態を検出する検出部と、
カウンタの値と、当該カウンタの値と調光度との対応関係を定義する第１設定と、当該カウンタの値を補正するための補正値と、当該補正値と前記計時部が計測する光源累積点灯時間との対応関係を定義する第２設定とを記憶する記憶部と、
前記計時部が計測した光源累積点灯時間が所定時間経過すると、前記記憶部に記憶されているカウンタの値をインクリメントし、前記記憶部に記憶されている第１設定を用いて、インクリメントしたカウンタの値に対応する調光度を算出し、算出した調光度にて光源を調光するよう前記点灯部に命令する調光制御部であって、前記検出部が検出した光源の状態に基づいて、光源が交換されたか否かを判断し、光源が交換されたと判断すると、前記記憶部に記憶されている第２設定を用いて、前記計時部が交換前の光源について計測した光源累積点灯時間に対応する補正値を算出し、算出した補正値と前記記憶部に記憶されている補正値とを加算して新たな補正値とし、当該新たな補正値で前記記憶部に記憶されている補正値を更新し、更新した補正値で前記記憶部に記憶されているカウンタの値を更新する調光制御部と
を備えることを特徴とする点灯装置。
【請求項４】
前記記憶部は、前記第１設定と前記第２設定との少なくともいずれかをテーブルとして記憶し、
前記調光制御部は、前記第１設定と前記第２設定との少なくともいずれかを用いる場合、テーブル参照によって値を算出することを特徴とする請求項１から３のいずれかに記載の点灯装置。
【請求項５】
請求項１から４のいずれかに記載の点灯装置を備えることを特徴とする照明器具。
【発明の詳細な説明】
【技術分野】
【０００１】
本発明は、点灯装置に関するものである。
【背景技術】
【０００２】
照明用点灯装置において、ランプの経年劣化等による光束減少に起因して低下する照度を補正するために、ランプの使用を開始したときからの累積点灯時間を計測し、この累積点灯時間に応じて調光レベル（調光度）を高め、ランプの照度を一定にするものが知られている。このような点灯装置では、ランプを新しいものに交換したときに、累積点灯時間をリセットする必要がある。そのため、ランプの寿命末期を検出して、累積点灯時間を自動的にリセットする点灯装置がある（例えば、特許文献１，２参照）。
【先行技術文献】
【特許文献】
【０００３】
【特許文献１】特開２０００−２００６９１号公報
【特許文献２】特開２００６−１５６３４５号公報
【発明の概要】
【発明が解決しようとする課題】
【０００４】
従来の点灯装置では、ランプの寿命末期を検出すると累積点灯時間をリセットし、その累積点灯時間に応じて調光レベルを調節する。したがって、ランプが交換されたときには、調光レベルが初期値に戻された状態となる。しかしながら、照度の低下は、ランプの経年劣化等だけでなく、点灯装置（照明器具）にたまる埃等による光束減少にも起因するため、このような点灯装置全体としての光束減少を考慮しなければ、照度の補正が不十分となるという課題があった。
【０００５】
本発明は、例えば、点灯装置全体としての光束減少に起因して低下する照度を補正するのに適切な調光度での調光制御を行うことを目的とする。
【課題を解決するための手段】
【０００６】
本発明の一の態様に係る点灯装置は、
交換自在の光源を点灯させる点灯部と、
現在取り付けられている光源を前記点灯部が点灯させた時間の累計である光源累積点灯時間を計測する計時部と、
光源の状態を検出する検出部と、
前記検出部が検出した光源の状態に基づいて、光源が交換されたか否かを判断し、光源が交換されたと判断する前は、予め定められた調光度の初期値である第１初期調光度にて光源の点灯を開始するよう前記点灯部に命令し、光源が交換されたと判断した後は、前記第１初期調光度より高い調光度の初期値である第２初期調光度にて光源の点灯を開始するよう前記点灯部に命令する調光制御部であって、光源の点灯を開始するよう前記点灯部に命令した後、前記計時部が計測した光源累積点灯時間に応じて、現在取り付けられている光源の照度を点灯開始時の照度と略等しくする調光度を新たな調光度として算出し、算出した新たな調光度にて光源の調光をするよう前記点灯部に命令する調光制御部とを備えることを特徴とする。
【発明の効果】
【０００７】
本発明の一の態様によれば、点灯装置の調光制御部が、光源が交換されたと判断した後は、第１初期調光度より高い調光度である第２初期調光度にて光源の点灯を開始するよう点灯部に命令することにより、点灯装置全体としての光束減少に起因して低下する照度を補正するのに適切な調光度での調光制御が可能となる。
【図面の簡単な説明】
【０００８】
【図１】実施の形態１に係る点灯装置の構成を示すブロック図である。
【図２】実施の形態１に係る累積点灯時間Ｔ１と光源の光出力、光源の光束、光源の明るさとの関係を示すグラフである。
【図３】実施の形態１に係る累積点灯時間Ｔ１と光源の調光度Ｗとの関係を示すグラフである。
【図４】実施の形態１に係る総累積点灯時間Ｔと器具劣化補正値Ｄ１との関係を示すグラフである。
【図５】実施の形態２に係る調光制御回路の全体動作を示すフローチャートである。
【図６】実施の形態２に係る動作ステップＳ（ｎ）と調光度Ｄｉｍとの対応関係を示すテーブルである。
【図７】実施の形態２に係る調光制御回路の動作ステップＳ（ｎ）の設定処理の詳細を示すフローチャートである。
【図８】実施の形態２に係る調光制御回路の器具劣化関数設定の処理の詳細を示すフローチャートである。
【図９】実施の形態２に係る器具劣化時間と補正ステップ数ｘとの対応関係を示すグラフである。
【図１０】実施の形態２に係る器具劣化時間と補正ステップ数ｘとの対応関係を示すテーブルである。
【図１１】実施の形態３に係る調光制御回路の器具劣化関数設定の処理の詳細を示すフローチャートである。
【図１２】実施の形態３に係る累積点灯時間Ｔ１と追加補正ステップ数ｘ０との対応関係を示すグラフである。
【図１３】実施の形態３に係る累積点灯時間Ｔ１と追加補正ステップ数ｘ０との対応関係を示すテーブルである。
【図１４】実施の形態４に係る累積点灯時間Ｔ１と光源の調光度Ｗとの対応関係を示すグラフである。
【図１５】実施の形態５に係る総累積点灯時間Ｔと補正カウント時間ｔ０との対応関係を示すテーブルである。
【発明を実施するための形態】
【０００９】
以下、本発明の実施の形態について、図を用いて説明する。
【００１０】
実施の形態１．
図１は、本実施の形態に係る点灯装置１００の構成を示すブロック図である。
【００１１】
図１において、点灯装置１００は、点灯回路１０（点灯部）、調光制御回路１２（調光制御部）、寿命末期検出回路１３（検出部）、計時部１４、不揮発性メモリ１５（記憶部）を備える。
【００１２】
点灯回路１０は、商用電源ＡＣから交流電流の入力を受け付け、光源ＬＡ（ランプ）に電力を供給する。点灯回路１０は、光源ＬＡの点灯を制御する点灯制御回路１１を備える。点灯制御回路１１は、調光制御回路１２から調光制御信号の入力を受け付け、調光制御信号に従って光源ＬＡの点灯制御を行う。即ち、光源ＬＡを点灯させるとともに調光する。また、点灯制御回路１１は、寿命末期検出回路１３から消灯制御信号の入力を受け付け、消灯制御信号に従って光源ＬＡの点灯制御を行う。即ち、光源ＬＡを消灯させる。
【００１３】
調光制御回路１２は、点灯回路１０に対して調光制御を行う。具体的には、調光制御回路１２は、計時部１４のタイマで計測された時間（カウンタ）に応じて、調光制御信号（点灯制御信号）を点灯回路１０に入力する。
【００１４】
寿命末期検出回路１３は、光源ＬＡの寿命末期を検出する。具体的には、寿命末期検出回路１３は、光源ＬＡの異常を検出すると、光源ＬＡが寿命末期であると判断し、光源ＬＡが消灯するように、消灯制御信号を点灯回路１０に入力する。このとき、寿命末期検出回路１３は、光源ＬＡの異常を検出したことを示す検出信号を調光制御回路１２に入力する。寿命末期検出回路１３は、光源ＬＡの異常を検出していない場合には、光源ＬＡが正常であることを示す検出信号を調光制御回路１２に入力する。即ち、寿命末期検出回路１３は、光源ＬＡの状態を検出し、光源ＬＡの状態を示す検出信号を調光制御回路１２に入力する。
【００１５】
調光制御回路１２は、寿命末期検出回路１３から光源ＬＡの異常を検出したことを示す検出信号が入力された後、例えば光源ＬＡが交換されたり、商用電源ＡＣがオフ状態からオン状態に変化する操作が行われたりしたことを検知すると、光源ＬＡが交換されたと判断する。即ち、調光制御回路１２は、寿命末期検出回路１３が検出した光源ＬＡの状態に基づいて、光源ＬＡが交換されたか否かを判断する。
【００１６】
本実施の形態において、調光制御回路１２や寿命末期検出回路１３といった点灯装置１００の各部は、例えばマイコンにより実装可能である。マイコンが独自に備えるＲＯＭ（メモリ）又は不揮発性メモリ１５には、点灯装置１００の各部の動作を実装したプログラムが予め格納される。そして、マイコンが備えるプロセッサによりプログラムが読み出され、実行されることにより、点灯装置１００の各部の動作が実現される。
【００１７】
計時部１４は、光源ＬＡの点灯時間を計測する。計時部１４は、総累積点灯時間Ｔを計測する第１タイマ１４ａと、累積点灯時間Ｔ１（光源累積点灯時間）を計測する第２タイマ１４ｂとを備える。総累積点灯時間Ｔは、点灯装置１００（照明器具）を天井等に設置してから現在までに、光源ＬＡを点灯している時間の累計（点灯装置１００としてのトータル点灯時間）である。即ち、総累積点灯時間Ｔは、光源ＬＡの交換によらず（交換前と交換後の光源ＬＡの区別なく）点灯回路１０が光源ＬＡを点灯させた時間の累計である。累積点灯時間Ｔ１は、１つの光源ＬＡを点灯装置１００に取り付けて（交換）から現在までに、その光源ＬＡを点灯している時間の累計（光源ＬＡ個々の点灯時間）である。即ち、累積点灯時間Ｔ１は、現在取り付けられている光源ＬＡを点灯回路１０が点灯させた時間の累計である。第１タイマ１４ａは、寿命末期検出回路１３等によって光源ＬＡの異常が検出されたり、光源ＬＡが交換されたりしても、リセットされることはない。即ち、総累積点灯時間Ｔはリセットされない。一方、第２タイマ１４ｂは、光源ＬＡが交換されたと調光制御回路１２によって判断される度に、調光制御回路１２によってリセットされる。即ち、累積点灯時間Ｔ１は光源ＬＡの交換ごとにリセットされる。
【００１８】
不揮発性メモリ１５は、計時部１４の第１タイマ１４ａで計測された総累積点灯時間Ｔと、計時部１４の第２タイマ１４ｂで計測された累積点灯時間Ｔ１を記憶する。なお、計時部１４は、点灯装置１００が光源ＬＡを点灯させている通常時は、不図示の揮発性メモリに総累積点灯時間Ｔと累積点灯時間Ｔ１を記憶させ、所定のタイミングにのみ、不揮発性メモリ１５に総累積点灯時間Ｔと累積点灯時間Ｔ１を記憶させる。所定のタイミングとは、例えば、商用電源ＡＣの供給が途絶えたときや、所定時間ごと（例えば１時間ごと）等である。このように、不揮発性メモリ１５に常に新しい総累積点灯時間Ｔ、累積点灯時Ｔ１を記憶させるのではなく、所定のタイミングにのみ記憶させることにより、不揮発性メモリ１５の寿命を延ばすことができる。なお、不揮発性メモリ１５の容量が十分に確保できる場合には、計時部１４は、点灯装置１００が光源ＬＡを点灯させている通常時も、不揮発性メモリ１５に総累積点灯時間Ｔと累積点灯時間Ｔ１を記憶させてよい。
【００１９】
ここで、累積点灯時間Ｔ１と光源ＬＡの光出力、光源ＬＡの光束、光源ＬＡの明るさ（照度）との関係を図２に示す。調光制御回路１２から出力される調光制御信号の調光指令値（調光レベルを指定する信号値）は累積点灯時間Ｔ１が長くなるにつれ、高く設定される。そのため、図２において、光源ＬＡの光出力は、累積点灯時間Ｔ１が長くなるにつれ、大きくなっている。一方、光源ＬＡの光束は、累積点灯時間Ｔ１が長くなるにつれ、光源ＬＡの経年劣化により少なくなっている。調光制御回路１２が調光指令値を適切に設定することで、光束の減少によって低下する明るさを光出力の増加によって補うことができるため、累積点灯時間Ｔ１が長くなっても、光源ＬＡの明るさを略一定に保つことが可能である。
【００２０】
また、ここで、光源ＬＡが寿命末期になったときを考える。
【００２１】
寿命末期とは、光源ＬＡが光を出力できない状態（光源ＬＡが異常な状態）をいうものとし、光源ＬＡが経年劣化により不点灯となった状態のほか、光源ＬＡが故障した状態も含むものとする。例えば、光源ＬＡが蛍光灯であるときは、フィラメントに付着するエミッション物質がなくなった状態（放電が維持できない程度までエミッション物質が少なくなった状態を含む）、フィラメントが断線した状態、蛍光灯が内部のガス抜け等によって不点灯となった状態が、寿命末期に該当する。また、光源ＬＡがＬＥＤであるときは、ＬＥＤの半導体素子がショートした状態又はオープンになった状態が、寿命末期に該当する。
【００２２】
一般的に、光源ＬＡの寿命に対して、点灯装置１００の寿命は長い。そのため、光源ＬＡが寿命末期となっても点灯装置１００は機能を損なっておらず、光源ＬＡを新しいものに交換すると、光源ＬＡを点灯させることができる。このとき、交換された光源ＬＡは新しいものであり、光劣化がないことから、従来は、点灯装置１００の調光度を初期値に戻していた。しかしながら、光源ＬＡを交換しても、照明器具（点灯装置１００）の反射板等に付着するほこりや、経年劣化による反射板等の塗装変色等の影響を受け、照明器具としての照度低下は改善されない。そのため、調光度を初期値に戻してしまうと、照明器具の設置初期状態（照明器具を天井等に設置したときの状態）に比べて、照明器具全体としての照度が低下することになる。そこで、本実施の形態では、光源ＬＡが新しいものに交換されたとき、調光度を初期値に戻す代わりに、照明器具全体としての照度が低下しないように調光度を適切な値に調節する。つまり、調光制御回路１２が調光指令値を、より適切に設定することで、光束の減少によって低下する明るさを光出力の増加によって補うことができるため、総累積点灯時間Ｔが長くなっても、光源ＬＡの明るさを略一定に保つことが可能となる。
【００２３】
以下では、点灯装置１００の動作について説明する。
【００２４】
図３は、累積点灯時間Ｔ１と光源ＬＡの調光度（光出力）Ｗとの関係を示すグラフであり、図４は、総累積点灯時間Ｔと器具劣化補正値Ｄ１との関係を示すグラフである。
【００２５】
図３に示すように、調光制御回路１２は、光源ＬＡの調光度Ｗを、累積点灯時間Ｔ１に従い決定する。具体的には、図４に示すように、調光制御回路１２は、総累積点灯時間Ｔと器具の光束劣化関数ｆ（Ｔ）＝Ｂ１×Ｔにより、光源ＬＡが交換されて光源ＬＡが点灯する累積点灯時間Ｔ１が０のときに定める器具劣化補正値Ｄ１（調光度の補正値）を算出する。そして、図３に示すように、調光制御回路１２は、累積点灯時間Ｔ１と調光度Ｗの初期値Ｃ１と器具劣化補正値Ｄ１から、光源ＬＡの調光度Ｗを算出する。なお、総累積点灯時間Ｔが０のとき、即ち、点灯装置１００が未使用のとき、器具劣化補正値Ｄ１は０となる。
【００２６】
点灯している光源ＬＡの調光度をＷ、累積点灯時間Ｔ１に対して予め定められた変化係数をＡ１、総累積点灯時間Ｔに対して予め定められた変化係数をＢ１、総累積点灯時間Ｔ＝０のときに、出力開始する任意の設定値（予め定められた光源ＬＡの調光度の初期値）をＣ１、総累積点灯時間Ｔに従い、器具劣化が考慮された補正値（器具劣化補正値）をＤ１とするとき、式１から式３に示す関係式が成り立つ。
Ｗ＝Ａ１×Ｔ１＋（Ｃ１＋Ｄ１）・・・（式１）
Ｄ１＝ｆ（Ｔ）・・・（式２）
ｆ（Ｔ）＝Ｂ１×Ｔ・・・（式３）
【００２７】
不揮発性メモリ１５には、光源ＬＡの調光度の初期値Ｃ１が予め記憶されている。また、不揮発性メモリ１５には、累積点灯時間Ｔ１と光源ＬＡの照度補正量との対応関係を定義する関数として第１関数ｈ（Ｔ１）＝Ａ１×Ｔ１が予め記憶されている。また、不揮発性メモリ１５には、総累積点灯時間Ｔと光源ＬＡの照度補正量との対応関係を定義する関数として第２関数ｆ（Ｔ）＝Ｂ１×Ｔが予め記憶されている。調光制御回路１２は、初期値Ｃ１と第１関数ｈ（Ｔ１）と第２関数ｆ（Ｔ）とを不揮発性メモリ１５から読み出して使用し、光源ＬＡの調光度Ｗ＝ｈ（Ｔ１）＋ｆ（Ｔ）＋Ｃ１＝Ａ１×Ｔ１＋Ｂ１×Ｔ＋Ｃ１を算出する。そして、調光制御回路１２は、算出した調光度Ｗを指令する調光制御信号を点灯回路１０に入力する。
【００２８】
上記のように、本実施の形態において、点灯回路１０は、交換自在の光源ＬＡを点灯させる。累積点灯時間Ｔ１が所定の単位時間経過する度（例えば１００時間ごと）に、調光制御回路１２は、累積点灯時間Ｔ１と総累積点灯時間Ｔとに基づいて、現在取り付けられている光源ＬＡの照度補正量を調光度Ｗとして算出する。そして、調光制御回路１２は、算出した調光度Ｗにて光源ＬＡの調光をするよう命令する調光制御信号を点灯回路１０に入力する。これにより、点灯装置１００全体としての光束減少に起因して低下する照度を補正するのに適切な調光度Ｗでの調光制御が可能となる。
【００２９】
また、本実施の形態において、計時部１４は、累積点灯時間Ｔ１を計測する。寿命末期検出回路１３は、光源ＬＡの状態を検出する。調光制御回路１２は、寿命末期検出回路１３が検出した光源ＬＡの状態に基づいて、光源ＬＡが交換されたか否かを判断する。調光制御回路１２は、光源ＬＡが交換されたと判断する前は、第１初期調光度（予め定められた調光度の初期値Ｃ１）にて光源ＬＡの点灯を開始するよう点灯回路１０に命令する。また、調光制御回路１２は、光源ＬＡが交換されたと判断した後は、第１初期調光度より高い調光度の初期値である第２初期調光度（初期値Ｃ１＋器具劣化補正値Ｄ１）にて光源ＬＡの点灯を開始するよう点灯回路１０に命令する。そして、光源ＬＡの点灯を開始するよう点灯回路１０に命令した後、調光制御回路１２は、計時部１４が計測した累積点灯時間Ｔ１に応じて、現在取り付けられている光源ＬＡの照度を点灯開始時の照度と略等しくする調光度を新たな調光度Ｗとして算出する。そして、調光制御回路１２は、算出した新たな調光度Ｗにて光源ＬＡの調光をするよう点灯回路１０に命令する。
【００３０】
また、本実施の形態において、計時部１４は、さらに、総累積点灯時間Ｔを計測する。不揮発性メモリ１５は、第１関数ｈ（Ｔ１）＝Ａ１×Ｔ１＋Ｃ１と、第２関数ｆ（Ｔ）＝Ｂ１×Ｔとを記憶する。
【００３１】
計時部１４が計測した累積点灯時間Ｔ１が上記単位時間経過する度（例えば１００時間ごと）に、調光制御回路１２は、不揮発性メモリ１５に記憶された第１関数ｈ（Ｔ１）＝Ａ１×Ｔ１を用いて、計時部１４が計測した累積点灯時間Ｔ１に応じた光源ＬＡの照度補正量を第１補正量として算出する。また、調光制御回路１２は、不揮発性メモリ１５に記憶された第２関数ｆ（Ｔ）＝Ｂ１×Ｔを用いて、計時部１４が計測した総累積点灯時間Ｔに応じた光源ＬＡの照度補正量を第２補正量（器具劣化補正値Ｄ１）として算出する。そして、調光制御回路１２は、予め定められた光源ＬＡの調光度の初期値Ｃ１に、算出した第１補正量と第２補正量とを加算して調光度Ｗ＝Ａ１×Ｔ１＋Ｂ１×Ｔ＋Ｃ１を算出する。そして、調光制御回路１２は、算出した調光度Ｗにて光源ＬＡの調光をするよう命令する調光制御信号を点灯回路１０に入力する。
【００３２】
つまり、調光制御回路１２は、計時部１４が計測した累積点灯時間Ｔ１に応じて、不揮発性メモリ１５に記憶された第１関数ｈ（Ｔ１）＝Ａ１×Ｔ１から求まる光源ＬＡの照度補正量を第１補正量として算出する。また、調光制御回路１２は、計時部１４が計測した総累積点灯時間Ｔに応じて、不揮発性メモリ１５に記憶された第２関数ｆ（Ｔ）＝Ｂ１×Ｔから求まる光源ＬＡの照度補正量を第２補正量として算出する。そして、調光制御回路１２は、第１初期調光度に、算出した第１補正量と第２補正量とを加算して新たな調光度Ｗ（光源ＬＡの交換直後は第２初期調光度に相当する）を算出する。
【００３３】
以上説明したように、本実施の形態において、調光制御回路１２は、第１の初期電力から開始され、累積点灯時間Ｔ１に応じて、第１の初期電力で点灯したときの明るさと略等しくなるように、点灯回路１０が光源ＬＡに供給する電力を制御する。また、調光制御回路１２は、寿命末期検出回路１３が光源ＬＡの異常を検出し、光源ＬＡの異常が解除されたときは、光源ＬＡが交換されたと判断して、第１の初期電力よりも高い第２の初期電力から開始され、累積点灯時間Ｔ１に応じて、第２の初期電力で点灯したときの明るさと略等しくなるように、点灯回路１０が光源ＬＡに供給する電力を制御する。
【００３４】
調光制御回路１２は、光源ＬＡが交換されたと判断する度に累積点灯時間Ｔ１を０にするとともに、器具劣化補正値Ｄ１を光束劣化関数ｆ（Ｔ）から算出する。そして、調光制御回路１２は、算出した器具劣化補正値Ｄ１を、光源ＬＡの交換後の初期値Ｃ１に加えた調光度Ｗを示す調光制御信号を生成する。これにより、照明器具の器具効率の低下（光束減少）に応じた光源ＬＡの照度補正をすることができ、照明器具としての照度を略一定に保つことができる。
【００３５】
なお、本実施の形態では、光源ＬＡが交換されたことを、寿命末期検出回路１３が光源ＬＡの異常を検出し、その後光源ＬＡの異常が解除されたことによって判断しているが、光源ＬＡの交換を、機械スイッチ等を用いて検出してもよい。また、光源ＬＡが寿命末期のときは必ず光源ＬＡが交換されるので、光源ＬＡが寿命末期であることを検出したときに累積点灯時間Ｔ１を０としてもよい。
【００３６】
実施の形態２．
本実施の形態について、主に実施の形態１との差異を説明する。
【００３７】
実施の形態１では、計時部１４の第１タイマ１４ａが総累積点灯時間Ｔを計測するが、本実施の形態では、調光制御回路１２が総累積点灯時間Ｔを算出する。そのため、計時部１４は、第１タイマ１４ａを備えていなくてもよい。その他の部分について、本実施の形態に係る点灯装置１００の構成は、図１に示した実施の形態１のものと同様である。
【００３８】
まず、調光制御回路１２の全体の動作フロー（点灯動作フロー）を説明する。
【００３９】
図５は、調光制御回路１２の全体動作を示すフローチャートである。
【００４０】
図５の処理１０１において、商用電源ＡＣが点灯装置１００に投入されると、調光制御回路１２に電力が供給され、点灯動作フローが開始される。
【００４１】
図５の処理１０２において、調光制御回路１２は、初期の設定として、不揮発性メモリ１５から各種記憶変数（異常フラグＦ、ステップ数ｎ、カウント時間ｔ、補正ステップ数ｘ）を読み込む。初期状態（例えば、工場出荷時）では、各種記憶変数が初期値であるので、後述する処理１０６において、調光制御回路１２は、器具劣化を考慮することなく、光源ＬＡの点灯状態を制御する調光制御信号を、点灯制御回路１１に出力することになる。このときの調光制御信号は、調光度Ｄｉｍのデフォルト値（予め定められた初期値）を指令する信号となる。
【００４２】
図５の処理１０３において、調光制御回路１２は、異常フラグＦが立っているかどうか判定する。異常フラグＦが立っているとき（Ｆ＝１のとき）は、器具劣化関数設定フローに進む。器具劣化関数設定の処理では、総累積点灯時間Ｔを求めるための補正ステップ数ｘが演算され、不揮発性メモリ１５に記憶される。具体的な処理については処理３０１〜３０４として後述する。異常フラグＦが立っていないとき（Ｆ＝０のとき）、即ち、通常の状態であるときは、通常の点灯動作を行うため、処理１０４に進む。通常の点灯動作では、累積点灯時間Ｔ１に応じて点灯回路１０の出力を変化させる調光制御信号が出力される。なお、通常の点灯動作には、光源ＬＡの点灯開始制御の動作も含むものとする。
【００４３】
図５の処理１０４において、調光制御回路１２は、累積点灯時間Ｔ１に応じた動作ステップＳ（ｎ）の設定処理を行う。動作ステップＳ（ｎ）の設定処理では、累積点灯時間Ｔ１を表すステップ数ｎとカウント時間ｔが演算され、不揮発性メモリ１５に記憶される。具体的な処理については処理２０１〜２０６として後述する。なお、処理２０１〜２０６の動作ステップＳ（ｎ）の設定処理は、以下に説明する処理１０５以降の処理と並行して実施されるルーチンである。
【００４４】
図５の処理１０５（調光度Ｄｉｍ設定処理）において、調光制御回路１２は、処理１０４で設定される動作ステップＳ（ｎ）に対応する調光度ＤｉｍをマイコンのＲＯＭ等に予め記憶されている第１設定データから指令値として読み出す。
【００４５】
ここで、第１設定データの例として、動作ステップＳ（ｎ）と調光度Ｄｉｍとの対応関係を示すテーブルを図６に示す。図６において、ステップ数ｎは、０〜１００の自然数である。動作ステップＳ（ｎ）は、このステップ数ｎに応じた器具劣化補正値（調光度Ｄｉｍの補正値）を示しており、例えば、動作ステップＳ（０）＝０．０、動作ステップＳ（１）＝０．５、動作ステップＳ（２）＝１．０といった具合に設定される。調光度Ｄｉｍのデフォルト値は、７０．０％である。したがって、動作ステップＳ（０）に対応する調光度Ｄｉｍは７０．０％、動作ステップＳ（１）に対応する調光度Ｄｉｍは７０．５％、動作ステップＳ（１）に対応する調光度Ｄｉｍは７１．０％、・・・のように設定される。つまり、本実施の形態では、ｎ≦６０であれば動作ステップＳ（ｎ）と調光度Ｄｉｍとが比例するように設定される。
【００４６】
なお、ステップ数ｎの上限値（上記例では１００）、下限値（上記例では０）は任意に選択できるものとし、またステップ数ｎは自然数ではなく整数であってもよい。また、調光度Ｄｉｍのデフォルト値や、動作ステップＳ（ｎ）に対応する器具劣化補正値も任意に設定できるものとする。本実施の形態では、第１設定データが予めテーブルとしてマイコンのＲＯＭ等に記憶されており、調光制御回路１２はテーブル参照によって第１設定データの値を算出するが、調光制御回路１２が他の方法で第１設定データの値を算出するようにしてもよい。その場合、調光制御回路１２は、例えば、ｎ≦６０であれば調光度Ｄｉｍ＝７０．０＋０．５×ｎを算出し、ｎ＞６０であれば調光度Ｄｉｍ＝１００．０と設定する。
【００４７】
図５の処理１０６において、調光制御回路１２は、処理１０５で決定した調光度Ｄｉｍを指令する調光制御信号を出力する。
【００４８】
図５の処理１０７（光源異常検出処理）において、調光制御回路１２は、処理１０６で出力する調光制御信号によって点灯を制御している光源ＬＡの状態（正常又は異常）を示す検出信号の入力を、寿命末期検出回路１３から受け付ける。例えば、商用電源ＡＣがオフ状態からオン状態に変化したときには、光源ＬＡが異常であることを示す検出信号が入力される。
【００４９】
図５の処理１０８（光源異常判定処理）において、調光制御回路１２は、処理１０７で入力された検出信号に基づき、光源ＬＡが異常であるか判定する。光源ＬＡが異常でないと判定したときは、処理１０９に進み、異常であると判定したときは、処理１１０に進む。
【００５０】
図５の処理１０９において、調光制御回路１２は、処理１０４で設定される動作ステップＳ（ｎ）のステップ数ｎに変化があったかどうかの判定を行う。ステップ数ｎに変化があったときは、処理１０５に戻り、調光制御回路１２は、変化後の動作ステップＳ（ｎ）に合わせて調光度Ｄｉｍを変化させる。そして、処理１０６において、調光制御回路１２は、変化させた調光度Ｄｉｍを指令する調光制御信号を出力する。一方、ステップ数ｎに変化がなかったときは、処理１０６に戻り、調光制御回路１２は、同じ調光度Ｄｉｍを指令する調光制御信号を継続して出力する。調光制御回路１２は、処理１０６以降、処理１０９までの処理をループさせる。即ち、調光制御回路１２は、光源ＬＡの状態を検出し、調光度Ｄｉｍを調節するルーチンを実行する。
【００５１】
図５の処理１１０において、調光制御回路１２は、動作ステップＳ（ｎ）の設定処理（処理１０４）のフローを停止させるとともに、点灯回路１０の出力を抑制又は停止させる調光制御信号を点灯制御回路１１に入力する。
【００５２】
図５の処理１１１において、調光制御回路１２は、光源ＬＡが異常であることを、異常フラグＦを立てて定義する（Ｆ＝１とする）。これにより、次の処理１０３では、器具劣化関数設定フローに進むことになる。
【００５３】
図５の処理１１２において、調光制御回路１２は、処理１１１で異常フラグＦを立てた後、この異常フラグＦの情報を不揮発性メモリ１５に記憶させる。これにより、商用電源ＡＣがオフ状態になる等、点灯装置１００の電源がなくなったときに異常フラグＦがリセットされないようにすることができ、処理１０３での判定がより確実に行えるようになる。
【００５４】
図５の処理１１３において、調光制御回路１２は、光源ＬＡを消灯させる消灯動作を行うための点灯制御信号を点灯制御回路１１に入力する。なお、このとき、調光制御回路１２は、実施の形態１と同様に、寿命末期検出回路１３から点灯制御回路１１に消灯制御信号を入力させてもよい。
【００５５】
次に、動作ステップＳ（ｎ）の設定処理のフローについて説明する。
【００５６】
図７は、図５の処理１０４に相当する調光制御回路１２の動作ステップＳ（ｎ）の設定処理の詳細を示すフローチャートである。
【００５７】
図７の処理２０１において、調光制御回路１２は、カウント時間ｔをカウントする。カウント時間ｔの初期値は０であり、調光制御回路１２は、計時部１４の第２タイマ１４ｂが計測する累積点灯時間Ｔ１が１時間経過する度に、カウント時間ｔを１つずつインクリメントする。
【００５８】
図７の処理２０２において、調光制御回路１２は、カウント時間ｔが所定時間であるか判定する。所定時間とは、１，２，・・・，１００のいずれかであるものとする。なお、所定時間の単位（上記例では１時間）、上限値（上記例では１００）、下限値（上記例では１）は、別の値に設定してもよい。カウント時間ｔが所定時間のとき、処理２０３に進む。一方、カウント時間ｔが所定時間でないときは、処理２０４に進む。
【００５９】
図７の処理２０３において、調光制御回路１２は、不揮発性メモリ１５にそのときのカウント時間ｔとステップ数ｎを記憶させる。
【００６０】
ここで、累積点灯時間Ｔ１は、式４のようにカウント時間ｔとステップ数ｎとで表される。
Ｔ１＝ｎ×１００＋ｔ・・・（式４）
【００６１】
即ち、調光制御回路１２は、カウント時間ｔとステップ数ｎを不揮発性メモリ１５に記憶させることにより、累積点灯時間Ｔ１を時間単位の精度で不揮発性メモリ１５に記憶させたことになる。なお、調光制御回路１２は、ステップ数ｎの代わりに、動作ステップＳ（ｎ）を不揮発性メモリ１５に記憶させてもよい。
【００６２】
図７の処理２０４において、調光制御回路１２は、カウント時間ｔが１００時間に達したかどうか判定する。１００時間は１ステップに相当する。カウント時間ｔが１００時間に達しないときには、処理２０１に戻り、調光制御回路１２は、引き続きカウント時間ｔのカウントを継続する。カウント時間ｔが１００時間に達した（カウント時間ｔのカウントが１ステップと同じになった）ときには、処理２０５に進む。
【００６３】
図７の処理２０５において、調光制御回路１２は、ステップ数ｎに１を加算する。即ち、調光制御回路１２は、ステップ数ｎ＝ｎ＋１と設定する。これにより、動作ステップＳ（ｎ）＝Ｓ（ｎ＋１）となる。
【００６４】
図７の処理２０６において、調光制御回路１２は、処理２０５でステップ数ｎを変化させたため、カウント時間ｔを０にして、処理２０１に戻り、引き続きカウントを行う。
【００６５】
前述したように、図５の処理１０５において、調光制御回路１２は、図７の処理２０５で変化した動作ステップＳ（ｎ）に応じて調光度Ｄｉｍを変化させる。
【００６６】
次に、器具劣化関数設定フローについて説明する。
【００６７】
前述したように、器具劣化関数設定フローが開始されるのは、異常フラグＦが立っているとき（Ｆ＝１のとき）であり、図５の処理１０８にて光源ＬＡが異常であると判定され、次に点灯動作（特に、図５の処理１０１〜１０３）が行われたときである。即ち、光源ＬＡが異常であると判定された後に、例えば光源ＬＡが交換されたり、商用電源ＡＣがオフ状態からオン状態に変化する操作が行われたりしたことによって、調光制御回路１２が、光源ＬＡが交換されたと判断したときである。
【００６８】
図８は、調光制御回路１２の器具劣化関数設定の処理の詳細を示すフローチャートである。
【００６９】
図８の処理３０１において、調光制御回路１２は、式５より器具劣化時間（器具の使用時間）を求める。ここで、器具劣化関数をｐ、現在のステップ数をｎ、光源ＬＡの交換後の初期（点灯開始時）の補正ステップ数をｘ、カウント時間をｔとする。また、補正ステップ数ｘに対応する光源ＬＡの交換直前（交換前の光源ＬＡの寿命が尽きたとき）の器具劣化時間を求める関数をｇ（ｘ）とする。
ｐ＝（（ｎ−ｘ）×１００＋ｔ）＋ｇ（ｘ）・・・（式５）
【００７０】
式５において、第１項の（ｎ−ｘ）×１００＋ｔは累積点灯時間Ｔ１に相当する。このうち、（ｎ−ｘ）×１００は交換前の光源ＬＡの寿命が尽きたときから現在の光源ＬＡの寿命が尽きるまでのステップ単位の精度での累積点灯時間であり、ｔはステップ数に反映されなかった累積点灯時間である。第２項のｇ（ｘ）は交換前の光源ＬＡの寿命が尽きるまでの総累積点灯時間Ｔに相当する。調光制御回路１２は、光源ＬＡの交換後の初期の補正ステップ数ｘに対応する総累積点灯時間Ｔ、即ち、器具劣化時間（器具劣化関数ｐ）をマイコンのＲＯＭ等に予め記憶されている第２設定データから読み出す。
【００７１】
ここで、光源ＬＡの交換直前（交換前の光源ＬＡの点灯終了時）の器具劣化時間（器具劣化関数ｐ）と光源ＬＡの交換直後（現在の光源ＬＡの点灯開始時）の補正ステップ数ｘとの対応関係を示すグラフを図９に示す。また、第２設定データの例として、当該対応関係を示すテーブルを図１０に示す。図９に示したグラフは、ｇ（ｘ）の逆関数を示すグラフに相当し、横軸に器具劣化時間、縦軸に補正ステップ数ｘを示している。図１０において、例えば、光源ＬＡの交換直前の器具劣化時間が０，１０００，２０００，・・・と長くなるにつれ、光源ＬＡの交換直後の補正ステップ数ｘは０，１，２，・・・と大きく設定されている。つまり、本実施の形態では、光源ＬＡの交換直前の器具劣化時間と光源ＬＡの交換直後の補正ステップ数ｘとが比例するように設定されている。
【００７２】
なお、器具劣化時間と補正ステップ数ｘとの対応関係は任意に設定できるものとする。本実施の形態では、第２設定データが予めテーブルとしてマイコンのＲＯＭ等に記憶されており、調光制御回路１２はテーブル参照によって第２設定データの値を算出するが、調光制御回路１２が他の方法で第２設定データの値を算出するようにしてもよい。その場合、調光制御回路１２は、例えば、光源ＬＡの交換直後の補正ステップ数ｘに基づき、ｇ（ｘ）＝１０００×ｘを計算して光源ＬＡの交換直前の器具劣化時間を求める。また、逆に、調光制御回路１２は、例えば、光源ＬＡの交換直前の器具劣化時間を１０００（別の値でもよい）で除算して、光源ＬＡの交換直後の補正ステップ数ｘを算出する。
【００７３】
器具劣化関数ｐで求められる器具劣化時間は、ｔと同じ精度（この例では時間単位の精度）の総累積点灯時間Ｔである。即ち、調光制御回路１２は、器具劣化関数ｐ＝（（ｎ−ｘ）×１００＋ｔ）＋ｇ（ｘ）により、総累積点灯時間Ｔを算出する。
【００７４】
図８の処理３０２（器具劣化補正設定処理）において、調光制御回路１２は、処理３０１で算出される器具劣化時間（器具劣化関数ｐ）に対応する補正ステップ数ｘをマイコンのＲＯＭ等に予め記憶されている第２設定データから読み出す。これにより、器具劣化を補う補正値（器具劣化補正値）が決定する。
【００７５】
図８の処理３０３において、調光制御回路１２は、異常フラグＦ、カウント時間ｔ、ステップ数ｎを設定する。異常フラグＦはリセットする（Ｆ＝０に設定する）。ステップ数ｎは処理３０２で求めた補正ステップ数ｘに設定する。カウント時間ｔはリセットする（ｔ＝０に設定する）。
【００７６】
図８の処理３０４において、調光制御回路１２は、処理３０２で求めた補正ステップ数ｘ、処理３０３で設定した異常フラグＦ、カウント時間ｔ、ステップ数ｎを不揮発性メモリ１５に記憶する。これにより、器具劣化補正値（補正ステップ数ｘ）も決定し、動作ステップＳ（ｎ）も決定したことになるため、点灯動作フローに戻る。その結果、動作ステップＳ（ｎ）には、器具劣化補正値が反映された値が設定されることになる。
【００７７】
ここで、本実施の形態の具体例を説明する。
【００７８】
初期状態では、不揮発性メモリ１５に記憶されたステップ数ｎ＝０、カウント時間ｔ＝０、補正ステップ数ｘ＝０となっている。
【００７９】
図５の処理１０１で点灯動作フローが開始されると、処理１０２で、調光制御回路１２は、不揮発性メモリ１５から変数を読み込む。処理１０５〜１０９のループ処理で、調光制御回路１２は、第１設定データ（図６のテーブル）を参照して動作ステップＳ（０）に対応する調光度Ｄｉｍ＝７０．０％を指令する調光制御信号を点灯制御回路１１に入力する。
【００８０】
処理１０４で、カウント時間ｔが１，２，・・・とカウントされていき、カウント時間ｔ＝１００となると、調光制御回路１２は、ステップ数ｎをインクリメントしてステップ数ｎ＝１に設定する。処理１０５〜１０９のループ処理で、調光制御回路１２は、動作ステップＳ（１）に対応する調光度Ｄｉｍ＝７０．５％を指令する調光制御信号を点灯制御回路１１に入力する。その後、ステップ数ｎの増加に従って、より高い調光度Ｄｉｍを指令する調光制御信号が点灯制御回路１１に入力される。
【００８１】
最初に取り付けられた光源ＬＡの寿命が４０５０時間であったとする。即ち、最初の光源ＬＡの寿命が尽きたとき、不揮発性メモリ１５に記憶されたステップ数ｎ＝４０、カウント時間ｔ＝５０、補正ステップ数ｘ＝０となっていたとする。図５の処理１０１で点灯動作フローが再び開始されると、器具劣化関数設定フローにおいて、調光制御回路１２は、第２設定データ（図１０のテーブル）を参照してｇ（０）＝０を求め、器具劣化関数ｐ＝（（ｎ−ｘ）×１００＋ｔ）＋ｇ（ｘ）＝４０５０を算出する。即ち、この時点での総累積点灯時間Ｔはステップ単位の精度で４０００時間となる（カウント時間ｔは無視してよい）。調光制御回路１２は、第２設定データを参照して器具劣化関数ｐ＝４０００に対応する補正ステップ数ｘ＝４を求める。そして、調光制御回路１２は、不揮発性メモリ１５に記憶されたステップ数ｎ＝補正ステップ数ｘ＝４、カウント時間ｔ＝０に更新する。
【００８２】
光源ＬＡが交換され、図５の処理１０１で点灯動作フローが開始されると、処理１０２で、調光制御回路１２は、不揮発性メモリ１５から変数を読み込む。処理１０５〜１０９のループ処理で、調光制御回路１２は、第１設定データを参照して動作ステップＳ（４）に対応する調光度Ｄｉｍ＝７２．０％を指令する調光制御信号を点灯制御回路１１に入力する。
【００８３】
２番目に取り付けられた光源ＬＡの寿命が６０００時間であったとする。即ち、２番目の光源ＬＡの寿命が尽きたとき、不揮発性メモリ１５に記憶されたステップ数ｎ＝６４、カウント時間ｔ＝０、補正ステップ数ｘ＝４となっていたとする。図５の処理１０１で点灯動作フローが再び開始されると、器具劣化関数設定フローにおいて、調光制御回路１２は、第２設定データを参照してｇ（４）＝４０００を求め、器具劣化関数ｐ＝（（ｎ−ｘ）×１００＋ｔ）＋ｇ（ｘ）＝６０００＋４０００＝１００００を算出する。即ち、この時点での総累積点灯時間Ｔはステップ単位の精度で１００００時間となる。調光制御回路１２は、第２設定データを参照して器具劣化関数ｐ＝１００００に対応する補正ステップ数ｘ＝１０を求める。そして、調光制御回路１２は、不揮発性メモリ１５に記憶されたステップ数ｎ＝補正ステップ数ｘ＝１０、カウント時間ｔ＝０に更新する。
【００８４】
光源ＬＡが交換され、図５の処理１０１で点灯動作フローが開始されると、処理１０２で、調光制御回路１２は、不揮発性メモリ１５から変数を読み込む。処理１０５〜１０９のループ処理で、調光制御回路１２は、第１設定データを参照して動作ステップＳ（１０）に対応する調光度Ｄｉｍ＝７５．０％を指令する調光制御信号を点灯制御回路１１に入力する。
【００８５】
その後、上記と同様の動作が行われる。
【００８６】
上記のように、本実施の形態において、不揮発性メモリ１５は、ステップ数ｎ（調光制御回路１２によりインクリメントされるカウンタの値）と、補正ステップ数ｘ（上記カウンタの初期値）と、補正ステップ数ｘと総累積点灯時間Ｔとの対応関係を定義する関数である第１関数（第２設定データ）と、ステップ数ｎと調光度Ｄｉｍとの対応関係を定義する関数である第２関数（第１設定データ）とを記憶する。
【００８７】
光源ＬＡが交換されたと判断する度に、調光制御回路１２は、不揮発性メモリ１５に記憶された第１関数を用いて、不揮発性メモリ１５に記憶された補正ステップ数ｘに応じた総累積点灯時間Ｔを算出する。つまり、不揮発性メモリ１５に記憶された補正ステップ数ｘに応じて、不揮発性メモリ１５に記憶された第１関数から求まる総累積点灯時間Ｔを算出する。調光制御回路１２は、計時部１４が計測した累積点灯時間Ｔ１に、算出した総累積点灯時間Ｔを加算して新たな総累積点灯時間Ｔを算出する。調光制御回路１２は、当該第１関数を用いて、算出した新たな総累積点灯時間Ｔに応じた補正ステップ数ｘを新たな補正ステップ数ｘとして算出する。つまり、算出した新たな総累積点灯時間Ｔに応じて、当該第１関数から求まる補正ステップ数ｘを新たな補正ステップ数ｘとして算出する。そして、調光制御回路１２は、不揮発性メモリ１５に記憶されたステップ数ｎと補正ステップ数ｘとを、算出した新たな補正ステップ数ｘに更新する。
【００８８】
また、計時部１４が計測した累積点灯時間Ｔ１が所定の単位時間経過する度（例えば１００時間ごと）に、調光制御回路１２は、不揮発性メモリ１５に記憶されたステップ数ｎをインクリメントする。調光制御回路１２は、不揮発性メモリ１５に記憶された第２関数を用いて、インクリメントしたステップ数ｎに応じた調光度Ｄｉｍを算出する。つまり、インクリメントしたステップ数ｎに応じて、不揮発性メモリ１５に記憶された第２関数から求まる調光度を新たな調光度Ｄｉｍとして算出する。そして、調光制御回路１２は、算出した調光度Ｄｉｍにて光源ＬＡの調光をするよう命令する調光制御信号を点灯回路１０に入力する。
【００８９】
以上説明したように、本実施の形態において、調光制御回路１２は、計時部１４の計時による総累積点灯時間Ｔに代えて、光源ＬＡの異常を検出するときに計時された累積点灯時間Ｔ１と、現在の補正値に対応する所定時間とを加算して算出し、この算出した結果から、予め定める器具の経年劣化を補うように設定された調光補正テーブルを参照して、新しい補正値を生成する。
【００９０】
実施の形態１では、総累積点灯時間Ｔを不揮発性メモリ１５に記憶させなければならないため、その分の容量を確保しておく必要があるが、上記のように、本実施の形態では、その必要がない。また、本実施の形態では、計時部１４の第１タイマ１４ａを省略することができる。
【００９１】
実施の形態３．
本実施の形態について、主に実施の形態２との差異を説明する。
【００９２】
本実施の形態では、器具劣化補正値を設定する方法が実施の形態２と異なる。
【００９３】
本実施の形態に係る点灯装置１００の構成は、図１に示した実施の形態１のものと同様である。また、本実施の形態に係る点灯装置１００の調光制御回路１２の点灯動作フロー及び動作ステップＳ（ｎ）の設定処理のフローは、図５及び図７に示した実施の形態２のものと同様である。
【００９４】
以下、器具劣化関数設定フローについて説明する。
【００９５】
図１１は、調光制御回路１２の器具劣化関数設定の処理の詳細を示すフローチャートである。
【００９６】
図１１の処理４０１において、調光制御回路１２は、式６より累積点灯時間Ｔ１を求める。ここで、現在のステップ数をｎ、現在の補正ステップ数をｘ、カウント時間をｔとする。
Ｔ１＝（ｎ−ｘ）×１００＋ｔ・・・（式６）
【００９７】
式６において、第１項の（ｎ−ｘ）×１００は交換前の光源ＬＡの寿命が尽きたときから現在の光源ＬＡの寿命が尽きるまでのステップ単位の精度での累積点灯時間であり、第２項のｔはステップ数に反映されなかった累積点灯時間である。
【００９８】
図１１の処理４０２（器具劣化補正設定処理）において、調光制御回路１２は、処理４０１で算出される累積点灯時間Ｔ１に対応する追加補正ステップ数ｘ０をマイコンのＲＯＭ等に予め記憶されている第３設定データから読み出す。そして、調光制御回路１２は、現在の補正ステップ数ｘに、読み出した追加補正ステップ数ｘ０を加算して補正ステップ数ｘを更新する。これにより、器具劣化を補う補正値（器具劣化補正値）が決定する。
【００９９】
ここで、累積点灯時間Ｔ１と追加補正ステップ数ｘ０との対応関係を示すグラフを図１２に示す。また、第３設定データの例として、当該対応関係を示すテーブルを図１３に示す。図１２に示したグラフは、累積点灯時間Ｔ１から追加補正ステップ数ｘ０を求める関数を示すグラフに相当し、横軸に累積点灯時間Ｔ１、縦軸に追加補正ステップ数ｘ０を示している。図１３において、例えば、累積点灯時間Ｔ１が０，１０００，２０００，・・・と長くなるにつれ、追加補正ステップ数ｘ０は０，１，２，・・・と大きく設定されている。つまり、本実施の形態では、累積点灯時間Ｔ１と追加補正ステップ数ｘ０とが比例するように設定されている。
【０１００】
なお、累積点灯時間Ｔ１と追加補正ステップ数ｘ０との対応関係は任意に設定できるものとする。本実施の形態では、第３設定データが予めテーブルとしてマイコンのＲＯＭ等に記憶されており、調光制御回路１２はテーブル参照によって第３設定データの値を算出するが、調光制御回路１２が他の方法で第３設定データの値を算出するようにしてもよい。その場合、調光制御回路１２は、例えば、累積点灯時間Ｔ１を１０００（別の値でもよい）で除算して、追加補正ステップ数ｘ０を算出する。
【０１０１】
図１１の処理４０３において、調光制御回路１２は、異常フラグＦ、カウント時間ｔ、ステップ数ｎを設定する。異常フラグＦはリセットする（Ｆ＝０に設定する）。ステップ数ｎは処理４０２で更新した補正ステップ数ｘに設定する。カウント時間ｔはリセットする（ｔ＝０に設定する）。
【０１０２】
図１１の処理４０４において、調光制御回路１２は、処理４０２で更新した補正ステップ数ｘ、処理４０３で設定した異常フラグＦ、カウント時間ｔ、ステップ数ｎを不揮発性メモリ１５に記憶する。これにより、器具劣化補正値（補正ステップ数ｘ）も決定し、動作ステップＳ（ｎ）も決定したことになるため、点灯動作フローに戻る。その結果、動作ステップＳ（ｎ）には、器具劣化補正値が反映された値が設定されることになる。
【０１０３】
ここで、本実施の形態の具体例を説明する。
【０１０４】
初期状態では、不揮発性メモリ１５に記憶されたステップ数ｎ＝０、カウント時間ｔ＝０、補正ステップ数ｘ＝０となっている。
【０１０５】
実施の形態２と同様に、図５の処理１０１で点灯動作フローが開始されると、処理１０２で、調光制御回路１２は、不揮発性メモリ１５から変数を読み込む。処理１０５〜１０９のループ処理で、調光制御回路１２は、第１設定データ（図６のテーブル）を参照して動作ステップＳ（０）に対応する調光度Ｄｉｍ＝７０．０％を指令する調光制御信号を点灯制御回路１１に入力する。
【０１０６】
実施の形態２と同様に、処理１０４で、カウント時間ｔが１，２，・・・とカウントされていき、カウント時間ｔ＝１００となると、調光制御回路１２は、ステップ数ｎをインクリメントしてステップ数ｎ＝１に設定する。処理１０５〜１０９のループ処理で、調光制御回路１２は、動作ステップＳ（１）に対応する調光度Ｄｉｍ＝７０．５％を指令する調光制御信号を点灯制御回路１１に入力する。その後、ステップ数ｎの増加に従って、より高い調光度Ｄｉｍを指令する調光制御信号が点灯制御回路１１に入力される。
【０１０７】
最初に取り付けられた光源ＬＡの寿命が４０５０時間であったとする。即ち、最初の光源ＬＡの寿命が尽きたとき、不揮発性メモリ１５に記憶されたステップ数ｎ＝４０、カウント時間ｔ＝５０、補正ステップ数ｘ＝０となっていたとする。図５の処理１０１で点灯動作フローが再び開始されると、器具劣化関数設定フローにおいて、調光制御回路１２は、累積点灯時間Ｔ１＝（ｎ−ｘ）×１００＋ｔ＝４０５０を算出する。即ち、この時点での累積点灯時間Ｔ１はステップ単位の精度で４０００時間となる（カウント時間ｔは無視してよい）。調光制御回路１２は、第３設定データ（図１３のテーブル）を参照して累積点灯時間Ｔ１＝４０００に対応する追加補正ステップ数ｘ０＝４を求める。そして、調光制御回路１２は、不揮発性メモリ１５に記憶された補正ステップ数ｘ＝補正ステップ数ｘ＋追加補正ステップ数ｘ０＝４に更新する。また、調光制御回路１２は、ステップ数ｎ＝補正ステップ数ｘ＝４、カウント時間ｔ＝０に更新する。
【０１０８】
実施の形態２と同様に、光源ＬＡが交換され、図５の処理１０１で点灯動作フローが開始されると、処理１０２で、調光制御回路１２は、不揮発性メモリ１５から変数を読み込む。処理１０５〜１０９のループ処理で、調光制御回路１２は、第１設定データを参照して動作ステップＳ（４）に対応する調光度Ｄｉｍ＝７２．０％を指令する調光制御信号を点灯制御回路１１に入力する。
【０１０９】
２番目に取り付けられた光源ＬＡの寿命が６０００時間であったとする。即ち、２番目の光源ＬＡの寿命が尽きたとき、不揮発性メモリ１５に記憶されたステップ数ｎ＝６４、カウント時間ｔ＝０、補正ステップ数ｘ＝４となっていたとする。図５の処理１０１で点灯動作フローが再び開始されると、器具劣化関数設定フローにおいて、調光制御回路１２は、累積点灯時間Ｔ１＝（ｎ−ｘ）×１００＋ｔ＝６０００を算出する。即ち、この時点での累積点灯時間Ｔ１はステップ単位の精度で６０００時間となる。調光制御回路１２は、第３設定データを参照して累積点灯時間Ｔ１＝６０００に対応する追加補正ステップ数ｘ０＝６を求める。そして、調光制御回路１２は、不揮発性メモリ１５に記憶された補正ステップ数ｘ＝補正ステップ数ｘ＋追加補正ステップ数ｘ０＝１０に更新する。また、調光制御回路１２は、ステップ数ｎ＝補正ステップ数ｘ＝１０、カウント時間ｔ＝０に更新する。この時点での総累積点灯時間Ｔはステップ単位の精度で１００００時間となっているが、実施の形態２と異なり、本実施の形態では、総累積点灯時間Ｔを明示的に計算する必要はない。しかしながら、上記のように、本実施の形態においても、実施の形態２と同様に、総累積点灯時間Ｔに応じた補正ステップ数ｘを設定することができる。
【０１１０】
実施の形態２と同様に、光源ＬＡが交換され、図５の処理１０１で点灯動作フローが開始されると、処理１０２で、調光制御回路１２は、不揮発性メモリ１５から変数を読み込む。処理１０５〜１０９のループ処理で、調光制御回路１２は、第１設定データを参照して動作ステップＳ（１０）に対応する調光度Ｄｉｍ＝７５．０％を指令する調光制御信号を点灯制御回路１１に入力する。
【０１１１】
その後、上記と同様の動作が行われる。
【０１１２】
上記のように、本実施の形態において、不揮発性メモリ１５は、ステップ数ｎ（調光制御回路１２によりインクリメントされるカウンタの値）と、補正ステップ数ｘ（上記カウンタの補正値）と、追加補正ステップ数ｘ０と累積点灯時間Ｔ１との対応関係を定義する関数である第１関数（第３設定データ）と、ステップ数ｎと調光度Ｄｉｍとの対応関係を定義する関数である第２関数（第１設定データ）とを記憶する。
【０１１３】
光源ＬＡが交換されたと判断する度に、調光制御回路１２は、不揮発性メモリ１５に記憶された第１関数を用いて、計時部１４が計測した累積点灯時間Ｔ１に応じた追加補正ステップ数ｘ０を新たな補正値として算出する。つまり、計時部１４が計測した累積点灯時間Ｔ１に応じて、不揮発性メモリ１５に記憶された第１関数から求まる追加補正ステップ数ｘ０を新たな補正値として算出する。調光制御回路１２は、不揮発性メモリ１５に記憶された補正ステップ数ｘに、算出した新たな補正値を加算して補正ステップ数ｘを更新する。そして、調光制御回路１２は、不揮発性メモリ１５に記憶されたステップ数ｎを、更新した補正ステップ数ｘに更新する。
【０１１４】
また、計時部１４が計測した累積点灯時間Ｔ１が所定の単位時間経過する度（例えば１００時間ごと）に、調光制御回路１２は、不揮発性メモリ１５に記憶されたステップ数ｎをインクリメントする。調光制御回路１２は、不揮発性メモリ１５に記憶された第２関数を用いて、インクリメントしたステップ数ｎに応じた調光度Ｄｉｍを算出する。つまり、インクリメントしたステップ数ｎに応じて、不揮発性メモリ１５に記憶された第２関数から求まる調光度を新たな調光度Ｄｉｍとして算出する。そして、調光制御回路１２は、算出した調光度Ｄｉｍにて光源ＬＡの調光をするよう命令する調光制御信号を点灯回路１０に入力する。
【０１１５】
実施の形態２では、光源ＬＡの交換ごとに、交換時までの総累積点灯時間Ｔから補正ステップ数ｘを決定するため、総累積点灯時間Ｔを明示的に計算する必要があるが、上記のように、本実施の形態では、交換前の光源ＬＡの累積点灯時間Ｔ１から補正ステップ数ｘを決定できるため、総累積点灯時間Ｔを明示的に計算する必要がない。
【０１１６】
実施の形態４．
本実施の形態について、主に実施の形態１との差異を説明する。
【０１１７】
実施の形態１では、器具劣化を考慮し、劣化具合を求めて調光制御信号で指令する調光度に反映させるが、本実施の形態では、このように劣化具合を明示的に求めず、より簡易な方法で器具劣化を考慮した調光度の調節を行う。
【０１１８】
本実施の形態に係る点灯装置１００の構成は、図１に示した実施の形態１のものと同様である。
【０１１９】
以下では、点灯装置１００の動作について説明する。
【０１２０】
図１４は、累積点灯時間Ｔ１と光源ＬＡの調光度（光出力）Ｗとの関係を示すグラフである。
【０１２１】
図１４に示すように、工場出荷時等、総累積点灯時間Ｔが初期値のとき、調光制御回路１２は、Ｗ１＝ａ×Ｔ１＋Ｃ１によって算出される最初の光源ＬＡの調光度Ｗ１にて点灯回路１０の点灯制御回路１１を制御し、光源ＬＡを点灯させる。このとき、ａは予め定められた変化係数、Ｔ１は最初の光源ＬＡの累積点灯時間、Ｃ１は予め定められた光源ＬＡの調光度の初期値である。
【０１２２】
光源ＬＡの寿命が尽きたとき、寿命末期検出回路１３は、光源ＬＡの異常を検知し、点灯回路１０の点灯制御回路１１に消灯制御信号を入力する。このとき、点灯制御回路１１は、点灯回路１０の動作を停止させ、光源ＬＡを消灯させる。
【０１２３】
光源ＬＡが交換されると、寿命末期検出回路１３は、光源ＬＡが正常であることを検知し、それを検出信号により調光制御回路１２に通知する。調光制御回路１２は、検出信号に従って、計時部１４の第１タイマ１４ａでカウントされる総累積点灯時間Ｔに応じた補正カウント時間ｔ０をマイコンのＲＯＭ等に予め記憶されている第４設定データから読み出し、累積点灯時間Ｔ１の初期値とする。つまり、計時部１４の第２タイマ１４ｂは、補正カウント時間ｔ０を初期値として、累積点灯時間Ｔ１のカウントを開始する。
【０１２４】
ここで、第４設定データの例として、総累積点灯時間Ｔと補正カウント時間ｔ０との対応関係を示すテーブルを図１５に示す。図１５において、例えば、総累積点灯時間Ｔが０，１０００，２０００，・・・と長くなるにつれ、補正カウント時間ｔ０は０，５０，１００，・・・と大きく設定されている。つまり、本実施の形態では、総累積点灯時間Ｔと補正カウント時間ｔ０とが比例するように設定されている。
【０１２５】
なお、総累積点灯時間Ｔと補正カウント時間ｔ０との対応関係は任意に設定できるものとする。本実施の形態では、第４設定データが予めテーブルとしてマイコンのＲＯＭ等に記憶されており、調光制御回路１２はテーブル参照によって第４設定データの値を算出するが、調光制御回路１２が他の方法で第４設定データの値を算出するようにしてもよい。その場合、調光制御回路１２は、例えば、総累積点灯時間Ｔを２００（別の値でもよい）で除算して、補正カウント時間ｔ０を算出する。
【０１２６】
図１４に示すように、調光制御回路１２は、Ｗ２＝ａ×Ｔ１＋Ｃ１によって算出される２番目以降の光源ＬＡの調光度Ｗ２にて点灯回路１０の点灯制御回路１１を制御し、光源ＬＡを点灯させる。このとき、ａとＣ１についてはＷ１の場合と同様であるが、Ｔ１は補正カウント時間ｔ０を初期値とした２番目以降の光源ＬＡそれぞれの累積点灯時間である。
【０１２７】
上記のように、本実施の形態において、計時部１４は、累積点灯時間Ｔ１だけでなく、総累積点灯時間Ｔを計測する。不揮発性メモリ１５は、累積点灯時間Ｔ１と調光度との対応関係を定義する関数である第１関数ｋ（Ｔ１）＝ａ×Ｔ１＋Ｃ１を記憶する。また、不揮発性メモリ１５は、総累積点灯時間Ｔと補正カウント時間ｔ０（累積点灯時間Ｔ１の補正値）との対応関係を定義する関数である第２関数（第４設定データ）を記憶する。
【０１２８】
最初に取り付けられた光源ＬＡが交換される前は、調光制御回路１２は、計時部１４が計測した累積点灯時間Ｔ１が所定の単位時間経過する度（例えば１００時間ごと）に、不揮発性メモリ１５に記憶された第１関数ｋ（Ｔ１）＝ａ×Ｔ１＋Ｃ１を用いて、計時部１４が計測した累積点灯時間Ｔ１に応じた調光度Ｗ１を算出する。そして、調光制御回路１２は、算出した調光度Ｗ１にて光源ＬＡの調光をするよう命令する調光制御信号を点灯回路１０に入力する。
【０１２９】
つまり、光源ＬＡが交換されたと判断する前は、調光制御回路１２は、計時部１４が計測した累積点灯時間Ｔ１に応じて、不揮発性メモリ１５に記憶された第１関数ｋ（Ｔ１）＝ａ×Ｔ１＋Ｃ１から求まる調光度を新たな調光度Ｗ１として算出する。
【０１３０】
また、最初に取り付けられた光源ＬＡが交換された後は、調光制御回路１２は、不揮発性メモリ１５に記憶された第２関数を用いて、計時部１４が計測した総累積点灯時間Ｔに応じた補正カウント時間ｔ０を算出する。調光制御回路１２は、計時部１４が計測した累積点灯時間Ｔ１に、算出した補正カウント時間ｔ０を加算して補正時間を算出する。調光制御回路１２は、不揮発性メモリ１５に記憶された第１関数ｋ（Ｔ１）＝ａ×Ｔ１＋Ｃ１を用いて、当該補正時間に応じた調光度Ｗ２を算出する。そして、調光制御回路１２は、算出した調光度Ｗ２にて光源ＬＡの調光をするよう命令する調光制御信号を点灯回路１０に入力する。
【０１３１】
つまり、光源ＬＡが交換されたと判断した後は、調光制御回路１２は、計時部１４が計測した総累積点灯時間Ｔに応じて、不揮発性メモリ１５に記憶された第２関数から求まる補正カウント時間ｔ０を算出する。調光制御回路１２は、計時部１４が計測した累積点灯時間Ｔ１に、算出した補正カウント時間ｔ０を加算して補正時間を算出する。そして、調光制御回路１２は、当該補正時間に応じて、不揮発性メモリ１５に記憶された第１関数ｋ（Ｔ１）＝ａ×Ｔ１＋Ｃ１から求まる調光度を新たな調光度Ｗ２として算出する。
【０１３２】
以上のように、本実施の形態では、総累積点灯時間Ｔに応じて、累積点灯時間Ｔ１のカウント開始時間を進めることで、照明器具の器具劣化を考慮した明るさを得ることができる。
【０１３３】
ここで、社団法人照明学会・技術指針ＪＩＥＧ−００１（２００５）によれば、「照明器具光学系の劣化によって生ずる光束低下は、照明設備の使用開始後約１０年経過した時点で、屋内で３％前後」である。また、蛍光ランプの寿命は、旧来６０００時間であったが、近年９０００時間、１２０００時間、２００００時間と長寿命化が進んでいる。
【０１３４】
したがって、照明器具光学系の劣化によって生ずる光束低下と、蛍光ランプの長寿命化を考慮して、１回目の交換後の調光率を７１．５％程度（工場出荷時の調光率に対して１．５％程度増やす）にすれば、２回目以降の交換後の調光率を考慮しなくとも、大幅に照明器具としての明るさが変わることがなく、調光制御回路１２の制御を簡素化することができる。
【０１３５】
以上、本発明の実施の形態について説明したが、これらのうち、２つ以上の実施の形態を組み合わせて実施しても構わない。あるいは、これらのうち、１つの実施の形態を部分的に実施しても構わない。あるいは、これらのうち、２つ以上の実施の形態を部分的に組み合わせて実施しても構わない。
【符号の説明】
【０１３６】
１０  点灯回路、１１  点灯制御回路、１２  調光制御回路、１３  寿命末期検出回路、１４  計時部、１４ａ  第１タイマ、１４ｂ  第２タイマ、１５  不揮発性メモリ、１００  点灯装置、ＡＣ  商用電源、ＬＡ  光源。
【図１】
0005610803.tif 000002
【図２】
0005610803.tif 000003
【図３】
0005610803.tif 000004
【図４】
0005610803.tif 000005
【図５】
0005610803.tif 000006
【図６】
0005610803.tif 000007
【図７】
0005610803.tif 000008
【図８】
0005610803.tif 000009
【図９】
0005610803.tif 000010
【図１０】
0005610803.tif 000011
【図１１】
0005610803.tif 000012
【図１２】
0005610803.tif 000013
【図１３】
0005610803.tif 000014
【図１４】
0005610803.tif 000015
【図１５】
0005610803.tif 000016